(57)【特許請求の範囲】
【請求項１】
合掌貼りした背シール部と天シール部、地シール部を有する包装袋であって、
前記背シール部の上下中央部分に開封用ノッチが設けられ、前記背シール部が前記天シール部と前記地シール部において互いに反対側に倒されており、
前記背シール部が前記天シール部と前記地シール部においてそれぞれに接着し、開封用ノッチが設けられた上下中央部分で前記背シール部が起立していることを特徴とする包装袋。
【請求項２】
前記開封用ノッチが設けられた位置の前記背シール部の根元の部分から、左右方向に延びる易切断傷加工部が設けられていることを特徴とする請求項１に記載の包装袋。
【発明の詳細な説明】
【技術分野】
【０００１】
本発明は、包装袋に関するものである。
【背景技術】
【０００２】
従来から、軟包材をシールして袋体に成形した包装袋が食品、トイレタリーを初めとした様々な用途に用いられている。包装袋としては種々の形状のものが存在するが、簡単な製袋充填機であるピロー製袋機で製袋されるピロー包装袋が菓子業界などでは多く用いられている。このピロー包装袋は、縦長にスリットした包材の両側端部を合掌状に重ね合わせてシールし、背シール部を形成して筒状に成形した後、底シール部と天シール部をシールして完成する。
【０００３】
この包装袋を開封するに、背シール部に開封用ノッチを設けて、背シール部から水平方向に裂く様に開封する、いわゆる帽子切り開封がある。この帽子切り開封をしようとすると、背シール部に設けたノッチから、筒状の周方向に、包材のフィルムの流れ方向に対しクロスする方向に包材を裂いていくことから、まっすぐには切り裂き難く、左右の裂け目位置が合わずに、帽子部分を本体から綺麗に切り取ることが出来ないなどの問題が発生する。
【０００４】
上述の問題を解決するために、特許文献１の包装袋が提案されている。すなわち、最外層と最内層を少なくとも有し、最内層がヒートシール性樹脂層である積層体からなる包材の両側端部を合掌状に貼り合せて背シール部を形成し、底部および天部をシールしてなる筒状構造を有する包装袋であって、背貼りシール部の所定部位に開封ノッチを有し、開封ノッチからほぼ水平方向に延ばした線上の最外層に、開封誘導線設けた包装袋である。
【０００５】
この包装袋を開封するには、両手で持って上下に引っ張り、開封用ノッチから切断して開封しなければならない。例えば、カップなどの容器に、包装袋の中の内容物を入れるような場合、片手で容器を持ってもう一方の手で包装袋を開封するといったようなことができず、一度包装袋を開封させてから、容器を持ち容器に包装袋内の内容物を入れなければならず、不便であった。内容物が調味料などの液体や粉粒体の場合、完全に帽子状にを切り取るより、一部分が開封されて注ぎ出せればよく、片手で開封できることがより強く求められる。
【０００６】
公知文献を以下に示す。
【先行技術文献】
【特許文献】
【０００７】
【特許文献１】特開２０１３−１４１９８５号公報
【発明の概要】
【発明が解決しようとする課題】
【０００８】
本発明は上記のような事情に鑑みてなされたもので、片手で開封して内容物を出すことのできる包装袋を提供することを課題としている。
【課題を解決するための手段】
【０００９】
本発明は係る課題に鑑みなされたものであり、請求項１の発明は、合掌貼りした背シール部と天シール部、地シール部を有する包装袋であって、
前記背シール部の上下中央部分に開封用ノッチが設けられ、前記背シール部が前記天シール部と前記地シール部において互いに反対側に倒されており、
前記背シール部が前記天シール部と前記地シール部においてそれぞれに接着し、開封用ノッチが設けられた上下中央部分で前記背シール部が起立していることを特徴とする包装袋である。
【００１０】
本発明の包装袋は、以上のような構成であって、背シール部を外側にして天シール部と地シール部が近づくように二つ折りすることによって、開封用ノッチより背シール部が破断し、更に開封用ノッチ近傍の根元部も破断されていくので、片手で開封して内容物を出すことができる。
【００１２】
本発明は、互いに反対側に倒されている背シール部が天シール部と地シール部においてそれぞれに接着しているので、背シール部を外側にして天シール部と地シール部が近づくように二つ折りしたときに、背シール部が確実に天シール部と地シール部に引っ張られ、開封用ノッチより容易に切断することができる。
【００１３】
本発明の請求項２の発明は、前記開封用ノッチが設けられた位置の前記背シール部の根元の部分から、左右方向に延びる易切断傷加工部が設けられていることを特徴とする請求項１に記載の包装袋である。
【００１４】
本発明は、開封用ノッチが設けられた位置の背シール部の根元の部分に、左右方向に延びる易切断傷加工部が設けられているので、開封用ノッチより背シール部が破断した後、開封用ノッチ近傍の根元部を確実に破断することができる。
【発明の効果】
【００１５】
本発明の包装袋は、片手で開封して内容物を出すことができる。
【図面の簡単な説明】
【００１６】
【図１】本発明の包装袋の一例を模式的に示した説明図である。（ａ）斜視図である。（ｂ）平面図である。
【図２】本発明の包装袋の一例で、二つ折りして開封した状態を模式的に斜視で示した説明図である。
【図３】本発明の包装袋の一例で、背シール部が地シール部に接着している状態を模式的に断面で示した説明図である。
【図４】本発明の包装袋の一例で、背シール部を地シール部に接着する他の方法を説明する模式的な平面図である。
【図５】（ａ）（ｂ）本発明の包装袋の一例で、背シール部を地シール部に接着する他の方法を説明する模式的な断面図である。
【発明を実施するための形態】
【００１７】
以下、本発明を実施するための形態について説明する。
図１は、本発明の包装袋の一例を模式的に示した説明図で、（ａ）斜視図、（ｂ）平面図である。図２は、本発明の包装袋の一例で、二つ折りして開封した状態を模式的に斜視で示した説明図である。
【００１８】
本例の包装袋１００は、図１（ａ）斜視図、（ｂ）平面図に示すように、合掌貼りした背シール部１を設け、筒状にした軟包材用フィルムの上下端部をシールして、天シール部２と地シール部３を設けた包装袋である。そして、背シール部１の上下中央部分（図では、左右中央部分）に開封用ノッチ４が設けられ、背シール部１が天シール部２と地シール部３において互いに反対側に倒されている。
【００１９】
このとき、背シール部１の幅は、３ｍｍ以上あることが好ましく、開封用ノッチ４の深さは背シール部１の幅の半分以上あることが好ましい。また、開封用ノッチ４は、Ｖノッチ、Ｉノッチ、Ｕノッチ、五角ノッチなどいずれの形状のノッチでもかまわない。
【００２０】
そして、天シール部２と地シール部３にそれぞれ、背シール部１が接着している。また、開封用ノッチ４が設けられた位置の背シール部１の根元の部分から、左右方向に延びる易切断傷加工部５が設けられている。本例では、易切断傷加工部５は線状に設けられているが、細かい傷加工を帯状に設けてもよい。
【００２１】
本例の包装袋１００は上記の様になっているので、図２のように、背シール部１を外側にして天シール部２と地シール部３が近づくように二つ折りすると、開封用ノッチ４より背シール部１が破断し、更に開封用ノッチ４近傍の背シール部１の根元部も破断されていく。
【００２２】
特に、背シール部１が天シール部２と地シール部３にそれぞれ接着しているので、二つ折りしたときに、背シール部１は天シール部２に接着した部分と地シール部３に接着した部分が離れるように引っ張られ、開封用ノッチ４から裂けるように力が加わり、確実に背シール部１が破断される。
【００２３】
また、左右方向に延びる易切断傷加工部５が設けられているので、開封用ノッチ４より背シール部１が破断した後、開封用ノッチ４近傍の根元部が確実に破断される。このため、包装袋１００は、容易に片手で開封して内容物を出すことができる。
【００２４】
本例の包装袋１００に用いる軟包材用フィルムは、基材とシーラントフィルムが積層された積層フィルムからなっている。基材としては、ナイロン、ポリエチレンテレフタレート、ポリプロピレン等の樹脂の２軸延伸、あるいは、１軸延伸のプラスチックフィルムが好ましく使用できる。
【００２５】
基材を多層にして設けても良い。多層の基材としては、外層側から、ポリエチレンテレフタレート／ナイロン、ナイロン／ポリエチレンテレフタレート、ナイロン／無機酸化物蒸着ポリエチレンテレフタレート、ナイロン／アルミニウム蒸着ポリエチレンテレフタレート、ナイロン／アルミニウム箔、ポリエチレンテレフタレート／アルミニウム箔などの積層したフィルムを用いることができる。
【００２６】
シーラントフィルムには、熱溶融性樹脂が用いられる。ポリプロピレンや、低密度ポリエチレン、直鎖状低密度ポリエチレン、あるいは、酸変性ポリエチレンなどが用いられる。特に、直鎖状低密度ポリエチレンが好ましく用いられる。
【００２７】
積層フィルムの積層方法は、ドライラミネート法で行っても良い。また、サンドイッチラミネート法で行ってもかまわない。また、場合によっては、シーラントフィルムを押出機から製膜しながら押出して、基材に貼り合わせる押出ラミネート法で行っても良い。
【００２８】
また、絵柄印刷層を基材フィルムの裏面に設けることができる。絵柄印刷層を設ける印刷方式は、特に限定するものではないが、通常、グラビア印刷、あるいは、フレキソ印刷が用いられる。
【００２９】
易切断傷加工部５は、本例の包装袋１００では、基材を切断する直線で設けているが、これに限ることなく、細かい傷加工を帯状などにして設けてもよい。傷加工はレーザー加工で設けることもできるし、半抜き加工で設けてもよい。帯状などで設ける場合は、表面
に針状突起を設けたロールを接触させて設けてもよい。
【００３０】
図３は、本発明の包装袋の一例で、背シール部が地シール部に接着している状態を模式的に断面で示した説明図である。図４は、本発明の包装袋の一例で、背シール部を地シール部に接着する他の方法を説明する模式的な平面図である。図５（ａ）（ｂ）は、本発明の包装袋の一例で、背シール部を地シール部に接着する他の方法を説明する模式的な段面図である。
【００３１】
天シール部２や地シール部３への背シール部１の接着は、図３に示す地シール部３の断面図のように、倒した背シール部１と地シール部３の間に、接着剤６を設けて接着することができる。接着剤６は、ホットメルト接着剤や接着ワニス、あるいはヒートシールニスなどを用いることができる。
【００３２】
また、接着に包装袋１００に用いられている軟包材用フィルムのシーラントフィルムを利用してもよい。すなわち、あらかじめ背シール部１と地シール部３を接着させる部分のフィルムに抜き孔７、７を、図４の平面図のように設けておく。同様に、背シール部１と天シール部２を接着させる部分のフィルムに抜き孔を設けておく。
【００３３】
そして図５（ａ）の地シール部３の断面図のように、背シール部１を地シール部３に倒して、抜き孔７、７を対向させ、図５（ｂ）のように、ヒートシールして接着シール部７１を設け、接着させる。背シール部１と天シール部２も同様にして、シールして接着させる。このような方法により、背シール部１を天シール部２や地シール部３に接着させることもできる。
【実施例】
【００３４】
以下に、本発明の具体的実施例について説明する。
【００３５】
＜実施例１＞
包装袋に用いる軟包材用フィルムとして、２軸延伸ポリエチレンテレフタレートフィルム１２μｍとアルミニウム箔７μｍと無延伸低密度ポリエチレンフィルム３０μｍを２液硬化型ウレタン系接着剤を用いてそれぞれの間をドライラミネート法により接着し、３層の積層フィルムを得た。
【００３６】
この積層フィルムを用いて、図１（ａ）、（ｂ）のような包装袋を作成した。包装袋のサイズは、縦８０ｍｍ、横３０ｍｍで作成し、背シール部１の幅は８ｍｍとした。開封用ノッチ４はＶノッチで、ノッチの深さは５ｍｍで設けた。
【００３７】
また、易切断傷加工部５は、レーザー加工により、ポリエチレンテレフタレートフィルムをカットして設けた。背シール部１の根元の部分から、左右方向にそれぞれ５ｍｍの長さで設けた。背シール部と天シール部２や地シール部３との接着は、ヒートシールニスを塗布して、ヒートシールし接着した。この包装袋を実施例１の包装袋とした。
【００３８】
以下に、本発明の比較例について説明する。
【００３９】
＜比較例１＞
実施例１と同じ軟包材用フィルムを用いて、同寸法の合掌貼りした背シール部と天シール部、地シール部を有する包装袋を作成した。但し、開封用ノッチ４を設けず、背シール部１は同じ側に倒し、易切断傷加工部５は背シール部１と反対側の面に、左右方向に１０ｍｍの長さでレーザー加工により、ポリエチレンテレフタレートフィルムをカットして設けた。
【００４０】
＜試験方法＞
実施例と比較例の包装袋に粉末調味料を充填し、下記の方法で試験し、比較評価した。その結果は表１にまとめる。
【００４１】
＜開封性評価＞
実施例と比較例の包装袋を、易切断傷加工部５を設けた側を外側にして天シール部と地シール部が近づくように二つ折りし、易切断傷加工部５が裂けて開封されるまで行った。良好に開封できたものを○とし、開封しづらかったものを×として評価した。
【００４２】
＜物流耐性評価＞
実施例と比較例の包装袋を、それぞれカートンに集積包装し、輸送テストを行った。輸送後カートンから包装袋を取り出し、漏れが1つもない場合を○とし、1つでも漏れがあった場合を×として評価した。
【００４３】
【表１】
0006627378.tif 000002
【００４４】
以下に、実施例と比較例との比較結果について説明する。
【００４５】
＜比較結果＞
実施例１の包装袋は、開封性評価では良好に開封でき、物流耐性評価でも漏れたものが1つもなく、いずれも良好であった。
【００４６】
一方、比較例１の包装袋は、開封性評価では開封が固く、開封しづらかった。また、物流耐性評価でも漏れたものがあり、不良であった。
【符号の説明】
【００４７】
１００・・・包装袋
１・・・背シール部
２・・・天シール部
３・・・地シール部
４・・・開封用ノッチ
５・・・易切断傷加工部
６・・・接着剤
７・・・抜き孔
７１・・・接着シール部
【図１】
0006627378.tif 000003
【図２】
0006627378.tif 000004
【図３】
0006627378.tif 000005
【図４】
0006627378.tif 000006
【図５】
0006627378.tif 000007